(57)【要約】【課題】チャイルドレジスタンス機能を備える蓋付き容器を提供すること。【解決手段】開口部２３の外縁に沿ってフランジ２４が形成された有底筒状からなる容器本体２と、フランジ２４に組み付く内枠体３と、内枠体３に組み付く外枠部４１と外枠部４１の内側に開口部２３を閉塞する頂壁４２を備えた蓋体４と、開口部２３を閉塞した状態の蓋体４に係合して蓋体４を係止するロック部材３４とを有すると共に、内枠体３、蓋体４及び前記ロック部材３４が一体に成形されてなる蓋付き容器であって、内枠体３と蓋体４との間が第１ヒンジ４３を介して回動可能に連結され、且つ内枠体３とロック部材３４との間が第２ヒンジ３５を介して回動可能に連結され、さらに、ロック部材３４が前記蓋体４を係止しているロック状態とロック部材３４が蓋体４を係止していない非ロック状態との間で第２ヒンジ３５を介して回動可能に連結されていることを特徴とする、蓋付き容器。【選択図】図３
2019151355.tif 000002
【特許請求の範囲】
【請求項１】
開口部（２３）の外縁に沿ってフランジ（２４）が形成された有底筒状からなる容器本体（２）と、
前記フランジ（２４）に組み付く内枠体（３）と、
前記内枠体（３）に組み付く外枠部（４１）と該外枠部（４１）の内側に前記開口部（２３）を閉塞する頂壁（４２）を備えた蓋体（４）と、
前記開口部（２３）を閉塞した状態の前記蓋体（４）に係合して前記蓋体（４）を係止するロック部材（３４）とを有すると共に、前記内枠体（３）、前記蓋体（４）及び前記ロック部材（３４）が一体に成形されてなる蓋付き容器であって、
前記内枠体（３）と前記蓋体（４）との間が第１ヒンジ（４３）を介して回動可能に連結され、且つ前記内枠体（３）と前記ロック部材（３４）との間が第２ヒンジ（３５）を介して回動可能に連結され、さらに、前記ロック部材（３４）が前記蓋体（４）を係止しているロック状態と前記ロック部材（３４）が前記蓋体（４）を係止していない非ロック状態との間で前記第２ヒンジ（３５）を介して回動可能に連結されていることを特徴とする、蓋付き容器。
【請求項２】
ロック部材（３４）は、操作板（３４Ａ）と該操作板（３４Ａ）上に所定の間隔を有して立設された内側係止片（３４２）と外側係止部（３４１）とを有して構成され、前記外側係止部（３４１）と内枠体（３）の外壁（３３）との間が前記第２ヒンジ（３５）で連結されており、操作板（３４Ａ）を蓋体（４）の頂壁（４２）と対向する位置に回動させることにより蓋体（４）が係止されるロック状態に設定され、且つ操作板（３４Ａ）を容器本体（２）の側壁（２２）と対向する位置に回動させることにより非ロック状態に設定され、
前記外枠部（４１）が、操作板（３４Ａ）と内側係止片（３４２）と外側係止部（３４１）とで囲まれた部分に嵌合されることでロック状態に設定されることを特徴とする、請求項１に記載された蓋付き容器。
【請求項３】
容器本体（２）の側壁（２２）には、非ロック状態にした操作板（３４Ａ）が嵌合する嵌合凹部（２２１）が設けられていることを特徴とする、請求項２に記載された蓋付き容器。
【請求項４】
前記容器本体（２）が矩形形状であって、
前記第１ヒンジ（４３）が設けられている辺に直交する方向の一対の辺に対応する内枠体（３）の部分に、一対の前記ロック部材（３４）が設けられていることを特徴とする、請求項１から請求項３のいずれか１項に記載された蓋付き容器。
【発明の詳細な説明】
【技術分野】
【０００１】
本発明は、例えば幼児や認知症患者等であって蓋体を開けることを許容しない者（以下、非対象者という）による開蓋を防止すると共に、非対象者以外の者（以下、対象者という）の蓋体については開蓋を許容するチャイルドレジスタンス機能を備えた箱型容器に関する。
【０００２】
従来の容器は、使用したい時に直ぐに蓋体を取り外せるように、単純な嵌合構造を有するものが多く、蓋体の取り外し易さと装着し易さに着眼したものが多かった（例えば、特許文献１参照）。しかしながら、このように蓋体の取り外し易さと装着し易さのみに重点をおいたため、結果的に蓋体を引っ張る操作だけで、誰にでも蓋体を簡単に取り外すことができ、内容物の取り出しが自由に行えるようになってしまっている。
【０００３】
使用者が収納又は充填される内容物の特性を十分に理解している通常の使用状況においては、このような蓋体の取り外し易さは便利なものであってなんら問題は無く、とても望ましい形態である。しかしながら、収納又は充填される内容物の特性を十分に理解しえない者でも簡単に蓋体の取り外しが行えるという懸念を併せ持つことになる。
【０００４】
すなわち、非対象者が中身の内容物の危険度を理解しないままに取り扱って不用意に容器の蓋を取り外して内容物に触れたり、内容物を誤飲したりすることが起こり得る。
こうした問題に対応するために充填する容器又はその蓋体に、非対象者では容易に取り外しのできない機能、即ち、所謂チャイルドレジスタンス機能を付与することが求められている。このチャイルドレジスタンス機能を有する容器は、例えば、従来技術である容器の蓋体が、ただ単に蓋体と容器本体とを引き離す方向に蓋体を引っ張る操作だけで取り外せるのに対し、ただ蓋体を引っ張る操作だけでは蓋体を取り外せず、蓋体を引っ張る前に又は同時に蓋体を引っ張るのとは別の操作を蓋体等に対して行い、それによって蓋体を取り外すように構成されている。
【０００５】
チャイルドレジスタンス機能のための蓋体等に対して行われる操作は、従来の閉蓋具における蓋体取り外し操作に比べ、複雑になり過ぎず、対象者に対しては従来の蓋体の取り外しの容易さは十分確保すると共に、非対象者による開蓋操作に対してはその取り外しを防止できることが好ましい。
【先行技術文献】
【特許文献】
【０００６】
【特許文献１】実開平３−１７０５６号公報
【発明の概要】
【発明が解決しようとする課題】
【０００７】
本発明は、上記した従来技術における問題点を解消すべく、非対象者による開蓋操作を防止すると共に、対象者による開蓋操作を許容するチャイルドレジスタンス機能を備える蓋付き容器を創出することを課題とする。
【課題を解決するための手段】
【０００８】
上記課題を解決するために、本発明の第１の態様に係る蓋付き容器は、開口部の外縁に沿ってフランジが形成された有底筒状からなる容器本体と、前記フランジに組み付く内枠体と、前記内枠体に組み付く外枠部と該外枠部の内側に前記開口部を閉塞する頂壁を備えた蓋体と、前記開口部を閉塞した状態の前記蓋体に係合して前記蓋体を係止するロック部材とを有すると共に、前記内枠体、前記蓋体及び前記ロック部材が一体に成形されてなる蓋付き容器であって、前記内枠体と前記蓋体との間が第１ヒンジを介して回動可能に連結され、且つ前記内枠体と前記ロック部材との間が第２ヒンジを介して回動可能に連結され、さらに、前記ロック部材が前記蓋体を係止しているロック状態と前記ロック部材が前記蓋体を係止していない非ロック状態との間で、前記第２ヒンジを介して回動可能に連結されていることを特徴とする。
【０００９】
本態様によれば、内枠体に回動可能に連結されているロック部材が、内枠体に組み付く外枠部を備えた蓋体に係合して、閉塞した状態の蓋体をさらに係止するので、幼児等が簡単に蓋体を取り外して開けることができない。
また、内枠体と外枠部との間が第１ヒンジを介して回動可能に連結されると共に、内枠体とロック部材との間も第２ヒンジを介して回動可能に連結されている構成であるため、すなわち、内枠体と蓋体とロック部材とが一体となる構成であるため、三者を一体にて形成が可能であることから、製造コストが低減できるという効果を有している。
【００１０】
本発明の第２の態様に係る蓋付き容器は、第１の態様において、ロック部材は、操作板と該操作板上に所定の間隔を有して立設された内側係止片と外側係止部とを有して構成され、前記外側係止部と内枠体の外壁との間が前記第２ヒンジで連結されており、操作板を蓋体の頂壁と対向する位置に回動させることにより蓋体が係止されるロック状態に設定され、且つ操作板を容器本体の側壁と対向する位置に回動させることにより非ロック状態に設定され、前記外枠部が、操作板と内側係止片と外側係止部とで囲まれた部分に嵌合されることでロック状態に設定されることを特徴とする。
【００１１】
本態様によれば、第１の態様の効果に加え、ロック部材が、操作板、該操作板上に立設された内側係止片及び外側係止部を有しているので、操作板を操作することにより、内側係止片と外側係止部とで外枠部（蓋体）をしっかりと係止させることができるため、幼児等の非対象者らにとってはより蓋体を取り外し難い状態となり、チャイルドレジスタンス機能を十分に発揮することができる。
【００１２】
また、ロック部材を回動させることにより、蓋体をロック状態と非ロック状態という２つの状態にすることが可能であるため、容器の使用方法として、対象者が容器の蓋を取り外す場合には非ロック状態にして蓋を開け易い状態を確保し、非対象者に容器本体の蓋を開けさせたくない場合には、ロック状態にして蓋を開け難い状態を確保することができる。
【００１３】
さらに、蓋体に備えられた外枠部が、操作板と内側係止片と外側係止部とで囲まれた部分に嵌合されることでロック状態になることから、蓋体自体が外枠部部分でかなりしっかりとロック部材によって係止されるので、蓋体は開け難くなりチャイルドレジスタンス機能をより一層高めることができる。
【００１４】
本発明の第３の態様に係る蓋付き容器は、第２の態様において容器本体の側壁には、非ロック状態にした操作板が嵌合する嵌合凹部が設けられていることを特徴とする。
【００１５】
本態様によれば、第２の態様の効果に加え、非ロック状態時には、容器本体の側壁にロック部材の操作板が嵌合する嵌合凹部が設けられているので、幼児等以外の者が容器の蓋を取り外すことがわかっている場合には、ロック部材を嵌合凹部に嵌合させて側壁に収めることにより、ロック部材の揺動を防止し蓋体を取り外す際にはロック部材が邪魔にならないという効果を有している。
【００１６】
本発明の第４の態様に係る蓋付き容器は、第１から第３の態様のいずれか一の態様において、前記容器本体が矩形形状であって、前記第１ヒンジが設けられている辺に直交する方向の一対の辺に対応する内枠体の部分に、一対の前記ロック部材が設けられていることを特徴とする。
本態様によれば、チャイルドレンジスタンス機能をより一層強化することが可能となる。
【発明の効果】
【００１７】
本発明は、閉塞した蓋体に対して蓋体を係止するロック部材が、ロック状態と非ロック状態の２つの状態を確保できる構成であるため、チャイルドレジスタンス機能と、幼児等以外の者が蓋体（蓋）を開ける際には、容易に容器の蓋体を開けることができる機能の双方の機能を十分に発揮することができる。
【図面の簡単な説明】
【００１８】
【図１】本発明に係る蓋付き箱型容器の実施形態（ロック状態）を示す斜視図。
【図２】本発明に係る蓋付き箱型容器の実施形態（非ロック状態）を示す斜視図。
【図３】本発明に係る蓋付き箱型容器の実施形態において開蓋状態を示す斜視図。
【図４】図３におけるＣ−Ｃ線の一部断面図。
【図５】図２におけるＢ−Ｂ線の断面図。
【図６】図１におけるＡ−Ａ線の断面図。
【発明を実施するための形態】
【００１９】
以下、図面を参照しながら本発明に係る蓋付き容器の実施形態について説明するが、本発明は当該実施形態に限定されるものではない。
【００２０】
最初に図１〜図４を参照にして本態様の蓋付き容器の構成を説明する。
【００２１】
本態様における蓋付き容器１は、合成樹脂を用いて、容器本体２はシート成形で蓋体４はインジェクションで薄肉に形成されている。また、本発明の蓋付き容器に収納される対象は、例えば、粉体状に形成した内容物、フィルムによって覆われた液体若しくは粉体を略ボール状に形成した内容物又は固体状の内容物であり、この内容物には、例えば洗剤や薬剤など幼児等の非対象者に触れさせたくないものが含まれる。
【００２２】
図１〜図３には、底面部２１から立ち上がる側壁２２を有し、底面部２１に対向する側に開口部２３（図３、図４参照）が形成された容器本体２と、開口部２３の外縁に沿って設けられたフランジ２４（図４参照）に組み付く内枠体３（図３、図４参照）と、内枠体３に組み付く外枠部４１（図１、図２参照）と、開口部２３を閉塞する外枠部４１を備えた蓋体４（図１等参照）とから構成された有底筒状からなる蓋付き容器１が示されている。
本態様では、容器本体２は有底角筒状の形状を有しているが、当該形状に限定されるものではない。例えば円形形状のものであってもよい。
【００２３】
なお、図１〜図３において、蓋体４を形成する長辺のうち、奥側にある長辺を一方の長辺とし、当該一方の長辺がある側を容器本体２の背面側、手前側にある長辺を他方の長辺とし、当該他方の長辺がある側を容器本体２の前面側とする。また、蓋体４を形成する短辺のうち、右側にある短辺を一方の短辺とし、当該一方の短辺がある側を容器本体２の右側面側、左側にある短辺を他方の短辺とし、当該他方の短辺がある側を容器本体２の左側面側とする
【００２４】
本態様の蓋付き容器１は、図１で示されるようにロック部材３４の操作板３４Ａが蓋体４の頂壁４２と対向する位置にあるロック状態と、図２で示されるように後述のロック部材３４の操作板３４Ａが容器本体２の右側面及び図示しない左側面の側壁２２に設けられた嵌合凹部２２１に嵌合した状態にある非ロック状態の２つの状態を採用できる構成となっている。図３においては、蓋体４が開けられている状態が示されている。
当該構成により、幼児等の非対象者に対しては、ロック状態にして蓋を開け難い状態を確保することが可能となる。
【００２５】
本態様の蓋付き容器１は、図４に示すように、容器本体２（図１等参照）とその外縁に沿ってフランジ２４が設けられており、フランジ２４に組み付く様に内枠体３が設けられている。
蓋体４は、内枠体３に組み付く外枠部４１と外枠部４１の内側に開口部２３を閉塞する頂壁４２（図１等参照）を備えており、内枠体３と蓋体４に備えられた外枠部４１との間が背面側に設けられた第１ヒンジ４３を介して連結され、蓋体４が回動可能（開閉可能）な構成となっている。
【００２６】
ここで、内枠体３について説明する。
図３及び図４に示すように、内枠体３は、フランジ２４（図４参照）の上面に接触する内枠体上面壁３２と、内枠体上面壁３２から側壁２２の内周面に当接して底面部２１に向かって形成された内枠体内壁３１と、内枠体上面壁３２から容器本体２の外側に垂下設される内枠体外壁３３とを有して構成されており、それぞれがフランジ２４を囲むようにして、フランジ２４に組み付いている。
【００２７】
次に、内枠体３に組み付く蓋体４に備えられた外枠部４１について説明する。図１に示したように、外枠部４１は、内枠体上面壁３２（図４参照）に載置される外枠部上面壁４１２と、外枠部上面壁４１２から内枠体内壁３１（図３参照）に当接するように形成された外枠部内壁４１１と、外枠部上面壁４１２から容器本体２の外側に垂下設される外枠部外壁４１３とを有して構成されており、それぞれがフランジ２４を囲むようにして、内枠体３に組み付いている。なお、頂壁４２（図１参照）が外枠部内壁４１１の下端から水平方向に連接されている。
【００２８】
また、図２に示したように、蓋体４の一方の短辺及び他方の短辺を形成している外枠部上面壁４１２の一部には、ロック部材３４が係合する凹部４１２ａ、４１２ｂが設けられている。そして、蓋体４の背面側において内枠体３と外枠部４１とがヒンジ４３で連結（図４参照）され、図２では矢印方向に蓋体４が開蓋可能な構成となっている。
【００２９】
次に、主に図５及び図６を参照しながら、本態様のロック部材３４の構成及び使用状態について説明する。
図５は、図２におけるＢ−Ｂ線の断面図であり、ロック部材３４が使用されていない状態（非ロック状態）を示している。
当該ロック部材３４は、内枠体３の内枠体外壁３３の下端３３１に、第２ヒンジ３５を介して回動可能に連結されている。そして、ロック部材３４には、ロック部材３４を回動させる際に指等でロック部材３４を操作する操作板３４Ａと、この操作板３４Ａ上に所定の間隔を有して立設（図５において側壁２２に対してほぼ直角方向）された内側係止片３４２及び外側係止部３４１が設けられている。尚、操作板３４Ａの先端部（第２ヒンジ３５と逆側の端部）は指先で操作される部分である。
【００３０】
図６は、図１におけるＡ−Ａ線の断面図であり、ロック部材３４が使用されている状態（ロック状態）を示している。
このロック状態において、ロック部材３４の操作板３４Ａ、内側係止片３４２及び外側係止部３４１で囲まれた部分は、蓋体４に備えられた外枠部４１を構成する凹部４１２ａ４１２ｂと嵌合するように構成されている。
【００３１】
以上がロック部材３４の構成であるが、図２に示しように、ロック部材３４を使用しない時（非ロック状態）は、側壁２２に設けた嵌合凹部２２１にロック部材３４を嵌合させて、収納しておくことが可能な構成となっている。このような構成により、ロック部材３４の揺動を防ぐことが出来ると共に、蓋体４を開ける際にロック部材３４が邪魔にならないという利点を有している。
【００３２】
そして、ロック部材３４は、図５の非ロック状態から、操作板３４Ａを指等で矢印方向に引っ張り上げ、第２ヒンジ３５を軸として蓋体４の頂壁４２側へ約２７０度回動させ、最終的には操作板３４Ａが頂壁４２と対向する状態にまでロック部材３４を回動させることにより、図６のロック状態となる。
【００３３】
このロック状態では、図１に示したように、蓋体４に備えられた外枠部４１の凹部４１２ａが、ロック部材３４の操作板３４Ａ、内側係止片３４２及び外側係止部３４１で囲まれた部分に嵌合された状態になっている。このように、外枠部４１がロック部材３４の操作板３４Ａ、内側係止片３４２及び外側係止部３４１で囲まれた部分に嵌合された状態となるので、蓋体４が容器本体２にしっかりと係止され、蓋体４は開け難くなり幼児等の非対象者では簡単に開けることが出来ない状態となる。すなわち、チャイルドレジスタンス機能を十分に発揮している状態となる。
【００３４】
次に、ロック状態から非ロック状態にするには、図１において、ロック部材３４の先端部を指先等で操作し矢印方向（外側）に回動させる。引き続き、ロック部材３４を側壁２２に対向させるように回動させ、側壁２２に設けた嵌合凹部２２１に操作板３４Ａが嵌合するまで回動させる。この一連の操作により、蓋付き容器１は図２に示した非ロック状態になる。
【００３５】
図２の非ロック状態において、内枠体内壁３１の内壁面に外枠部内壁４１１の内周の壁面が係合して蓋体４が開かないで閉じている状態、すなわち、内枠体内壁３１の内壁面と外枠部内壁４１１の内周の壁面がある程度の摩擦抵抗をもって係合している場合には、蓋体４を対象者が開ける使用方法が可能となる。
つまり、本態様では、対象者に対しては非ロック状態を用いた使用方法が、非対象者に対してはロック状態を用いた使用方法が可能である。
【００３６】
なお、図５及び図６においては、右側面側のロック部材３４について説明したが、図示しない左側面側に設けられたロック部材についても、構造は右側面側のロック部材３４と同様である。
また、本実施形態に限定されるものではなく、本発明の趣旨を逸脱しない限りにおいて、趣旨の変更を加えることができる。
【００３７】
本態様では、例えば図２に示したように、ロック部材３４を操作板３４Ａが右側面の側壁２２及び図示しない左側面の側壁２２と対向するように内枠体３に設けているが、ロック部材を設ける個数は２つとは限らない。また、側面だけでなく前面であってもよい。
【００３８】
さらに、ロック部材３４を複数設けるときは、例えば、図２に示した態様のように各ロック部材３４が対向する反対の位置に設けるのが好ましい。それによりさらにさらにチャイルドレジスタンス機能をより一層高めることができる。
【産業上の利用可能性】
【００３９】
本発明によれば、強固なチャイルドレジスタンス機能を高めた蓋付き容器の容器分野に用途展開が可能である。
【符号の説明】
【００４０】
１    ：蓋付き容器
２    ：容器本体
３    ：内枠体
４    ：蓋体
２１  ：底面部
２２  ：側壁
２３  ：開口部
２４  ：フランジ
３１  ：内枠体内壁
３２  ：内枠体上面壁
３３  ：内枠体外壁
３４  ：ロック部材
３５  ：第２ヒンジ
４１  ：外枠部
４２  ：頂壁
４３  ：第１ヒンジ
２１１：嵌合凹部
３３１：内枠体外壁下端
３４１：外側係止部
３４２：内側係止片
３４Ａ：操作板
４１１：外枠部内壁
４１２：外枠部上面壁
４１３：外枠部外壁
４１２ａ：凹部
４１２ｂ：凹部
【図１】
2019151355.tif 000003
【図２】
2019151355.tif 000004
【図３】
2019151355.tif 000005
【図４】
2019151355.tif 000006
【図５】
2019151355.tif 000007
【図６】
2019151355.tif 000008